(57)【要約】      （修正有）【課題】大型で複雑なシステムを必要とせず、遺失物の発見に要する時間と手間を削減するとともに、高い確率で遺失物を発見することができる遺失物検索システムを提供する。【解決手段】制御手段９は、予め決められた機能が起動される毎に、遺失物検索データベース５４を更新しているとともに、遺失物を検索する要求を受けると、遺失物検索データベース５４から前記遺失物が発生しやすい場所の候補の情報とその順位を取得し、電子機器Ｈｐの表示手段１に順位と場所の情報を含む一覧表示を行う遺失物検索システム。【選択図】図１
2013201471.tif 000002
【特許請求の範囲】
【請求項１】
電子機器に搭載される遺失物検索システムであって、
予め決められた機能が起動されたときその場所の位置情報を検出する位置情報検出手段と、
前記予め決められた機能が起動されている間の時間を検出する計時手段と、
前記予め決められた機能が起動されたとき、その機能と、機能が起動している時間とに基づいて決定された遺失物の発生しやすさの順位と、その機能が起動された場所の情報を含む遺失物検索データベースと、
制御手段とを含み、
前記制御手段は、前記予め決められた機能が起動される毎に、前記遺失物検索データベースを更新しているとともに、遺失物を検索する要求を受けると、前記遺失物検索データベースから前記遺失物が発生しやすい場所の候補の情報とその順位を取得し、前記電子機器の表示手段に順位と場所の情報を含む一覧表示を行うことを特徴とする遺失物検索システム。
【請求項２】
前記予め決められた機能別に遺失物の発生しやすさを数値化した機能別遺失指数が格納された機能別遺失指数データベースと、
前記予め決められた機能が実施されている時間に基づいて遺失物の発生しやすさを数値化した時間別遺失指数が格納された時間別遺失指数データベースと、
前記機能別遺失指数と前記時間別遺失指数を用いて遺失物の発生しやすさを数値化した遺失指数を算出する遺失指数算出手段と、
前記遺失指数によって、前記遺失物検索データベースの前記遺失物が発生しやすい場所の順位を決定している遺失場所順位決定手段とを更に含み、
前記制御手段は、予め決められた機能が起動されるとその機能に基づいて機能別遺失指数データベースより機能別遺失指数を取得し、その機能が起動していた間の時間に基づいて時間別遺失指数データベースより時間別遺失指数を取得し、前記遺失指数算出手段を用いて遺失指数を算出するとともに、前記遺失場所順位決定手段からその機能が起動された場所の前記遺失物検索データベースにおける順位を取得し、前記遺失物検索データベースを更新する請求項１に記載の遺失物検索システム。
【請求項３】
以前に遺失物が発見された場所及びその場所での発見回数を格納した遺失物発見場所データベースを更に含み、
前記遺失指数算出手段は、前記機能別遺失指数、前記時間別遺失指数に加え、発見回数に基づいて算出された発見場所指数に基づいて遺失指数を算出する請求項２に記載の遺失物検索システム。
【請求項４】
前記制御手段は、前記遺失物が発見された旨の情報を取得すると、その発見場所の情報を取得するとともに、その発見場所の情報を前記遺失物発見場所データベースに追加する請求項３に記載の遺失物検索システム。
【請求項５】
前記制御手段は、前記電子機器に新たな機能が組み込まれたとき、その機能に対応した機能別遺失指数を設定し、前記機能別遺失指数データベースに追加する請求項２から請求項４のいずれかに記載の遺失物検索システム。
【請求項６】
前記制御手段は、前記遺失物が発見された旨の情報を取得すると、その発見場所の情報よりその時起動していた機能の情報を取得し、前記機能別遺失指数データベースの機能別遺失指数を更新する請求項２から請求項５のいずれかに記載の遺失物検索システム。
【請求項７】
前記時間別遺失指数データベースは、前記予め決められた機能ごとに、個別のデータテーブルを有している請求項２から請求項６のいずれかに記載の遺失物検索システム。
【請求項８】
前記位置情報検出手段が衛星から位置情報を取得するＧＰＳ受信手段を備えている請求項１から請求項７のいずれかに記載の遺失物検索システム。
【発明の詳細な説明】
【技術分野】
【０００１】
本発明は、遺失物の遺失場所を検索するための遺失物検索システムに関するものである。
【背景技術】
【０００２】
従来、忘れ物や落し物等の遺失物の捜索は、その遺失物の発生に気付いた以前に訪れた場所を実際に捜索したり、遺失物を紛失したと思われる近傍の交番等の遺失物に関する情報が集まる場所に問い合わせたりといった方法で行われていた。訪れた場所を実際に捜索する方法は、行動範囲が狭いと有効である場合もあるが、行動範囲が広くなると、紛失したと思われる場所の範囲も広くなり多大な手間と時間を要する。また、交番等の遺失物に関する情報が集まる場所に連絡を取る場合でも、行動範囲が広くなると、問い合わせ先の数が増え、問い合わせにかかる手間も膨大になる。
【０００３】
そこで、忘れ物や落し物等の遺失物の検索を容易にするためのシステムが開発されている（例えば、特開２００５−３６２７号公報参照）。特開２００５−３６２７号に記載の遺失物検索システムでは、読み出し信号に応じて、応答信号を送信する無線タグと、前記無線タグが存在する位置の探索を依頼する端末装置と、前記登録した依頼探索情報に基づき、遺失物に関する情報として遺失物情報を発行する遺失物管理サーバ装置と、前記無線タグからの応答信号を受信する機能及びそれ自身の位置を測位する機能を有し、前記遺失物情報に基づき、無線タグの探索を行う複数の移動体通信装置とを含む構成となっている。
【０００４】
そして、この遺失物探索システムは、前記端末装置からの無線タグ探索の依頼があると、遺失物管理サーバ装置は、前記移動体通信装置に対して、無線タグの探索依頼があった旨とその無線タグの探索に必要な無線タグ情報を移動体通信装置に対して発行する。移動体通信装置は、無線タグに対して読み出し信号を発信しており、探索依頼があった無線タグからの応答信号を受信すると、発見した旨及びその場所の情報を遺失物管理サーバ装置に送信する。そして、遺失物管理サーバ装置が前記端末装置に対して遺失物を発見した旨及びその場所に関する情報を通知することで、遺失物の探索を行っている。
【先行技術文献】
【特許文献】
【０００５】
【特許文献１】特開２００５−３６２７号公報
【発明の概要】
【発明が解決しようとする課題】
【０００６】
しかしながら、特開２００５−３６２７号公報に記載された遺失物探索システムでは、無線タグ、端末装置、遺失物管理サーバ装置及び移動体通信装置が必要であり、構成が非常に複雑である。また、遺失物管理サーバ装置がメンテナンス等でシャットダウンしている場合、遺失物探索システムでの遺失物の探索は不可能である。
【０００７】
そして、前記無線タグが電波の届かない場所にある場合、前記移動体通信装置からの読み出し信号を受信することができず、応答信号を発信することができない。そのため、移動体通信装置の近くに探索依頼があった無線タグがあったとしても、その無線タグが近くにあることを認識することができない場合がある。
【０００８】
さらに、物品に対して予め無線タグを取り付けておく必要があるが、無線タグを取り付けることができない程度に小型の物品、意匠性の高い物品、書類等、無線タグを取り付けることが困難な物品もあり、無線タグを取り付けていない物品を紛失した場合、この遺失物検索システムで探索することはできない。
【０００９】
そこで本発明は、大型で複雑なシステムを必要とせず、遺失物の発見に要する時間と手間を削減するとともに、高い確率で遺失物を発見することができる遺失物検索システムを提供することを目的とする。
【課題を解決するための手段】
【００１０】
上記目的を達成するため本発明は、電子機器に搭載される遺失物検索システムであって、前記予め決められた機能が起動されたときその場所の位置情報を検出する位置情報検出手段と、前記予め決められた機能が起動されている間の時間を検出する計時手段と、前記予め決められた機能が起動されたとき、その機能と、機能が起動している間の時間とに基づいて決定された遺失物の発生しやすさの順位と、その機能が起動された場所の情報を含む遺失物検索データベースと、制御手段とを含み、前記制御手段が、前記予め決められた機能が起動される毎に、前記遺失物検索データベースを更新しているとともに、遺失物を検索する要求を受けると、前記遺失物検索データベースから前記遺失物が発生しやすい場所の候補の情報とその順位を取得し、前記電子機器の表示手段に順位と場所の情報を含む一覧表示を行うことを特徴とする遺失物検索システムを提供する。
【００１１】
この構成によると、前記遺失物検索システムを搭載した電子機器のみで、遺失物が発生しやすい場所及び発生しやすい順位を取得し、使用者に提供することができる。これにより、従来の遺失物探索システムのように、サーバ、無線タグ等が不要となり、システムを簡素化できる。このことから、本発明にかかる遺失物検索システムを容易に導入することが可能である。
【００１２】
また、遺失物検索システムは前記電子機器の中に搭載されているので、前記電子機器と前記サーバとを接続する必要がなく、有線又は無線による接続が途切れた場所でも遺失物の検索が可能である。このことから、使用者が遺失物に気付いたとき、すぐに遺失物の検索を開始することができるので、遺失物の発見までの時間が短くなり、それだけ、遺失物の発見の確率を高めることが可能である。
【００１３】
上記構成において、前記予め決められた機能別に遺失物の発生しやすさを数値化した機能別遺失指数が格納された機能別遺失指数データベースと、前記予め決められた機能が実施されている時間に基づいて遺失物の発生しやすさを数値化した時間別遺失指数が格納された時間別遺失指数データベースと、前記機能別遺失指数と前記時間別遺失指数を用いて遺失物の発生しやすさを数値化した遺失指数を算出する遺失指数算出手段と、前記遺失指数によって、前記遺失物検索データベースの前記遺失物が発生しやすい場所の順位を決定している遺失場所順位決定手段とを更に含み、前記制御手段は、予め決められた機能が起動されるとその機能に基づいて機能別遺失指数データベースより機能別遺失指数を取得し、その機能が起動していた間の時間に基づいて時間別遺失指数データベースより時間別遺失指数を取得し、前記遺失指数算出手段を用いて遺失指数を算出するとともに、前記遺失場所順位決定手段からその機能が起動された場所の前記遺失物検索データベースにおける順位を取得し、前記遺失物検索データベースを更新するものであってもよい。
【００１４】
上記構成において、以前に遺失物が発見された場所及びその場所での発見回数を格納した遺失物発見場所データベースを更に含み、前記遺失指数算出手段は、前記機能別遺失指数、前記時間別遺失指数に加え、発見回数に基づいて算出された発見場所指数に基づいて遺失指数を算出するようにしてもよい。
【００１５】
この構成によると、遺失指数に、以前に遺失物が発生した場所による重みを負荷することが可能である。これにより、遺失物が発生しやすい場所の順位の精度を高めることが可能であり、遺失物を発見するまでの時間を短縮できる。
【００１６】
上記構成において、前記制御手段は、前記遺失物が発見された旨の情報を取得すると、その発見場所の情報を取得するとともに、その発見場所の情報を前記遺失物発見場所データベースに追加するようにしてもよい。
【００１７】
この構成によると、遺失物が発生しやすい場所のデータの精度が高くなるので、遺失物発見に要する時間を短縮することが可能である。
【００１８】
上記構成において、前記制御手段は、前記電子機器に新たな機能が組み込まれたとき、その機能に対応した機能別遺失指数を設定し、前記機能別遺失指数データベースに追加するようにしてもよい。
【００１９】
この構成によると、新たな機能が追加され、新たな機能が頻繁に使用される場合であっても、遺失物検索システムを有効に動作させることが可能となる。
【００２０】
上記構成において、前記制御手段は、前記遺失物が発見された旨の情報を取得すると、その発見場所の情報よりその時起動していた機能の情報を取得し、前記機能別遺失指数データベースの機能別遺失指数を更新してもよい。
【００２１】
この構成によると、電子機器の所有者が変わったり、機能が変更されたりして、遺失物が発生しやすい機能が変わった場合でも、その変更に対応することが可能である。また、所有者が変わっていない場合でも、生活形態の変化や心理状態の変化等で遺失物が発生しやすい機能が変動する場合があるが、このような変動にも対応することができる。これにより、遺失物が発生しやすい場所を精度よく決定することが可能である。
【００２２】
上記構成において、前記時間別遺失指数データベースは、前記予め決められた機能ごとに、個別のデータテーブルを有していてもよい。この構成によると、機能によって起動されている間の時間のばらつきや、起動時の使用者の注意力の集中しやすさが異なる場合がある。機能ごとに時間別遺失指数データベースを備えていることで、短時間起動でも遺失物を発生しやすい機能や、長時間起動でも遺失物が発生しにくい機能を起動したときの遺失物の紛失が発生しやすさを正確に評価することができる。このことから、遺失物が発生しやすい場所を精度よく決定することができ、遺失物の発見までの時間を短縮し、遺失物の発見の確率を高めることが可能である。
【００２３】
上記構成において、前記位置情報検出手段が衛星から位置情報を取得するＧＰＳ受信手段を備えていてもよい。
【発明の効果】
【００２４】
本発明によると、大型で複雑なシステムを必要とせず、遺失物の発見に要する時間と手間を削減するとともに、高い確率で遺失物を発見することができる遺失物検索システムを提供することができる。
【図面の簡単な説明】
【００２５】
【図１】本発明にかかる遺失物検索システムを備えた携帯端末の一例である携帯電話機を示すブロック図である。
【図２】本発明にかかる遺失物検索システムに備えられている機能別遺失指数データベースの一例を示す図である。
【図３】本発明にかかる遺失物検索システムに備えられている時間別遺失指数データベースの一例を示す図である。
【図４】本発明にかかる遺失物検索システムに備えられている遺失物発見場所データベースの一例を示す図である。
【図５】本発明にかかる遺失物検索システムに備えられている遺失物検索データベースを示す図である。
【図６】本発明にかかる遺失物検索システムの動作を示すフローチャートである。
【図７】遺失指数を算出する手順の一例を示すフローチャートである。
【図８】本発明にかかる遺失物検索システムの遺失物検索機能の動作を示すフローチャートである。
【図９】遺失物検索システムの他の例に備えられている時間別遺失指数データベースの一例を示す図である。
【発明を実施するための形態】
【００２６】
（第１の実施形態）
以下に本発明の実施形態について図面を参照して説明する。図１は本発明にかかる遺失物検索システムを備えた電子機器の一例である携帯電話機を示すブロック図である。図１に示す携帯電話機Ｈｐは、多機能携帯電話、いわゆる、スマートフォンであり、通常、アプリと呼ばれるプログラム（ソフト）によって、カメラ、ゲーム等の機能が実現されている。図１に示すように、携帯電話機Ｈｐは、表示部１（表示手段）、入力部２、電波送受信部３、位置情報検出部４（位置情報検出手段）、記憶部５、計時部６（計時手段）、遺失指数算出部７（遺失指数算出手段）、遺失場所順位決定部８（遺失場所順位決定手段）及び制御部９（制御手段）を備えている。
【００２７】
そして、本発明にかかる遺失物検索システムは、表示部１、位置情報検出部４、記憶部５に記憶されている後述のデータベース５１〜５４、計時部６、遺失指数算出部７、遺失場所順位決定部８及び制御部９を含む構成となっている。
【００２８】
表示部１は、携帯電話機Ｈｐを操作するときに必要な画像を表示するための表示装置である。表示部１としては、例えば、液晶表示装置を含むものである。入力部２は、携帯電話機Ｈｐの操作を行うときの入力装置である。例えば、押しボタンスイッチを複数個備えたものや、表示部１に表示されるスイッチに接触することで入力を行うタッチパネル装置等が採用される。
【００２９】
電波送受信部３は、通話やインターネットを行うとき、電波を送信又は受信する。図１に示すように、電波送受信部３は、アンテナＡｎｔに接続されている。
【００３０】
位置情報検出部４は、携帯電話機Ｈｐの位置を検出する。位置情報検出部４は、衛星より送られているＧＰＳ(Global Positioning System)信号を受信するＧＰＳ受信部４１を備えている。また、位置情報検出部４は、電波送受信部３で受信した電波に含まれている位置情報を取得する位置情報取得部４２も備えている。これにより、位置情報検出部４は、建物の内部、地下等、ＧＰＳ信号を取得するのが困難な場所でも、大まかな位置情報の検出が可能となっている。なお、位置情報取得部４２が直接アンテナＡｎｔに接続される構成であってもよい。また、これら以外の信号等を受信して位置情報を検出するような機構を備えていてもよい。
【００３１】
記憶部５は、携帯電話機Ｈｐの動作に必要な情報や一時的な情報を記憶するメモリを含んでいる。なお、メモリとして、例えば、読み出し専用のＲＯＭや、読み出し及び記録が可能なＲＡＭ等を挙げることができる。記憶部５には、後述する遺失物指数を決定するためのデータベース５１〜５４が備えられている。次に、各データベース５１〜５４について説明する。
【００３２】
多くの場合、携帯電話機では、通話、メール送受信、インターネット、カメラ等複数の機能を具備している。携帯電話機の使用者は、上述のような機能を使用するとき、注意力が携帯電話機Ｈｐに向かうので、落し物や忘れ物に気付きにくい。そして、使用者の携帯電話機Ｈｐへの注意力の集中度合いは、使用する機能によって異なる。すなわち、機能によって、遺失物の発生しやすさが異なる。そのため、本発明にかかる携帯電話機Ｈｐでは、機能ごとの遺失物の発生しやすさを機能別遺失指数として数値化し、機能別遺失指数データベース５１として、記憶部５に記憶している。
【００３３】
機能別遺失指数データベース５１について図面参照して詳しく説明する。図２は本発明にかかる遺失物検索システムに備えられている機能別遺失指数データベースの一例を示す図である。図２に示すように、機能別遺失指数データベースは、携帯電話機Ｈｐの機能と、各機能に定義された機能別遺失指数とを含むデータベースである。なお、機能別遺失指数データベース５１では、携帯電話機Ｈｐの機能として、ゲーム、カメラ撮影、通話、電卓、メール、写真閲覧が含まれているが、これに限られない。
【００３４】
例えば、使用者が携帯電話機Ｈｐでゲーム、カメラ撮影の機能を使用する場合、両手で操作する。また、使用者は、携帯電話機Ｈｐの表示部１に表示される画像を注視するとともに、操作に集中するため携帯電話機Ｈｐ以外に注意が向きにくく、遺失物が発生しやすいと考えられる。逆に、通話、電卓、メール、写真閲覧等は、片手で行う動作であり、また、使用者の注意力が携帯電話機Ｈｐにあまり集中しないので、遺失物が発生しにくいと考えられる。
【００３５】
このような、携帯電話機Ｈｐの機能と遺失物の発生しやすさを評価するため、図２に示す機能別遺失指数データベース５１では、機能別遺失指数を、ゲームを１０ポイント、カメラ撮影を９ポイント、通話を８ポイント、電卓を７ポイント、メールを６ポイント、画像閲覧を５ポイントとして定義している。なお、これら以外の機能が含まれていてもよいし、機能別遺失指数が異なっていてもよい。また、図２に示す、機能別遺失指数データベース５１では、両手で操作する機能が、片手で操作する機能よりも高ポイントとなっている。
【００３６】
また、上述のような機能を短時間起動していた場合、使用者は機能を使用する前の状態を明確に思い出すことができることが多く、忘れ物等の遺失物は発生しにくい。逆に長時間にわたり上述の機能を起動（使用）した場合、機能を使用する前の状態（例えば、傘等をその場においたこと）を忘れる場合が多く、遺失物が発生しやすくなる。そこで、機能の起動時間による遺失物の発生しやすさを時間別遺失指数として数値化し、時間別遺失指数データベース５２として、記憶部５に記憶している。
【００３７】
時間別遺失指数データベース５２について、図面を参照して説明する。図３は本発明にかかる遺失物検索システムに備えられている時間別遺失指数データベースの一例を示す図である。図３に示すように、時間別遺失指数データベース５２は、時間別遺失指数として、０〜１０分未満が０ポイント、１０分〜２０分未満が１ポイント、といったように、１０分の間隔でそれぞれポイントを付けている。また、１００分以上は１０ポイントとしている。
【００３８】
また、例えば、公園、デパート等は携帯電話機Ｈｐ以外にも使用者の注意をひくものが多く、これらの場所で携帯電話機Ｈｐの予め決められた機能を起動（使用）すると、使用者は忘れ物、落し物等が発生しても、認識できない場合が多い。つまり、遺失物が多い場所は、偏ることが多く、その傾向は、個人によってばらばらであることが多い。そこで、本発明の遺失物検索システムでは、以前に遺失物が発見された場所の回数の履歴を数値化し格納した遺失物発見場所データベース５３として、記憶部５に記憶している。
【００３９】
図４は本発明にかかる遺失物検索システムに備えられている遺失物発見場所データベースの一例を示す図である。遺失物発見場所データベース５３は、遺失物を発見した場所と、これまでにその場所で遺失物が発見された回数である遺失物発見回数とを関連付けたレコードを格納している。遺失物を発見した場所は、遺失物を発見したとき、位置情報検出部４で位置情報（緯度及び経度又は携帯電話機の通話電波による位置情報）を検出し、その位置が含まれる又は近接した施設、公園等としている。なお、図４に示す遺失物発見場所データベース５３では、遺失物発見場所として、Ａデパート、Ｂホテル、Ｃ公園を例に挙げているが、これに限定されるものではない。
【００４０】
図４に示す遺失物発見場所データベース５３は、本発明の遺失物検索システムを利用して、これまでに、Ａデパートで４回、Ｂホテルで１回、Ｃ公園で２回遺失物を発見していることを示している。遺失物発見場所データベース５３では、遺失物が発見されると、その時の位置情報検出部４からの位置情報に基づいて、その位置が含まれる又は近接した施設、場所等での遺失物の発見回数が加算される。また、遺失物発見場所データベース５３に遺失物が発見された場所の情報がない場合、今回発見された場所を新たに追加することが可能なデータベース構成となっている。
【００４１】
さらに、記憶部５には、遺失物が発生しやすい場所とその順位を含んだ遺失物検索データベース５４を備えている。図５は本発明にかかる遺失物検索システムに備えられている遺失物検索データベースを示す図である。遺失物検索データベース５４は記憶部５の内部に格納されており、図５に示すように、遺失物発生の可能性の順位、場所の名前、場所の位置情報（緯度／経度又は電波による位置情報）、遺失指数、使用した機能、機能を起動していた間の時間及び機能を起動した日時とを含むレコードを格納したデータベースである。
【００４２】
遺失物検索データベース５４は、機能別遺失指数、時間別遺失指数、遺失物の発見回数に基づいて後述の方法で遺失指数を算出し、その遺失指数が高いものから順に並べたリストである。つまり、遺失指数が高いものほど、遺失物が発生しやすい場所であるとし、高順位になる。遺失物検索データベース５４は、遺失物が発生したことを使用者が気づき、遺失物検索システムを利用して遺失物検索を行うときに、表示部１に表示される情報を格納しているデータベースである。なお、情報としては、以上に示したもの以外にも、遺失物が発生する可能性のある場所の連絡先（電話番号）、住所等を含んでいてもよいし、これら以外にも、異なる情報を含んでいてもよい。また、上述した情報のうち、少なくとも、順位、場所の名前、日時を備えていればよい。
【００４３】
計時部６は、携帯電話機Ｈｐの内部時計を動作させている。そして、計時部６は、経過時間を算出するためのタイマー機能も有しており、このタイマー機能は、上述の機能別遺失指数データベース５１で挙げられている機能が起動（使用）されたとき、機能の動作開始から動作終了まで（機能が起動していた間）の時間を計測する。
【００４４】
そして、遺失指数算出部７は、機能別遺失指数、時間別遺失指数及び発見回数に基づいて、遺失指数を算出する。すなわち、遺失指数算出部７は、携帯電話機Ｈｐの動作状態に基づいて、機能別遺失指数データベース５１及び時間別遺失指数データベース５２より機能別遺失指数及び時間別遺失指数を受け取る。また、遺失物発見場所データベース５３より発見回数を受け取ると、その発見回数に予め決められている数値を乗算した値を発見場所指数として算出する。そして、機能別遺失指数、時間別遺失指数及び発見場所指数を合算し、遺失指数として算出する。算出方法は後述する。
【００４５】
遺失場所順位決定部８は、位置情報検出部４から位置情報を取得するとともに、遺失指数算出部７で算出された遺失指数を取得し、位置情報に対する遺失指数によって、遺失物検出データベース５４に格納されている各レコードのうち遺失指数が大きいものを遺失物が発生しやすい場所であるとして、順位を決定し、遺失物検出データベース５４を更新する。
【００４６】
制御部９は、遺失物検出システムの動作を制御する部分であり、マイコン、ＣＰＵ等の演算処理部を備えている。なお、制御部９は、遺失物検出システムのみを制御するものであってもよいし、携帯電話機Ｈｐを制御する制御装置であってもよい。なお、遺失物算出部７及び遺失場所順位決定部８は独立した回路（素子）を備えた構成であってもよいし、制御部９の演算処理部で動作するプログラムであってもよい。
【００４７】
次に、本発明にかかる遺失物検索システムの動作について説明する。図６は本発明にかかる遺失物検索システムの動作を示すフローチャートである。携帯電話機Ｈｐにおいて、制御部９が、遺失物検索システムが起動された（例えば、遺失物検索アプリが起動された）ことを検出すると、遺失物検索システムの動作がスタートする。
【００４８】
遺失物検索システムが起動されているとき、制御部９は使用者が携帯電話機Ｈｐの予め決められた機能（図２参照）が起動されたかどうか確認する（ステップＳ１１）。制御部９が予め決められた機能の起動を確認できない場合（ステップＳ１１でＮｏの場合）、制御部９は入力部２から使用者により遺失物検索システムの終了の入力があったかどうか確認する（ステップＳ１８）。制御部９が遺失物検索システムの終了の入力を検出しなかった場合（ステップＳ１８でＮｏの場合）、遺失物検索システムの動作の最初（すなわち、ステップＳ１１）に戻る。制御部９が、遺失物検索システムの終了の入力を検出した場合（ステップＳ１８でＹｅｓの場合）、制御部９は遺失物検索システムの動作を終了する。
【００４９】
制御部９が予め決められた機能の起動を確認した場合（ステップＳ１１でＹｅｓの場合）、制御部９は、遺失指数算出部７を起動し、遺失指数を算出する（ステップＳ１２）。なお、遺失指数の算出の詳細については、後述する。制御部９は、遺失指数を遺失指数算出部７より取得し（ステップＳ１３）、その遺失指数を取得したときの位置情報（ＧＰＳによる緯度及び経度又は通話用の電波に基づく位置の情報）を取得する（ステップＳ１４）。また、遺失指数が算出された場所が含まれる施設又は近接した施設の施設情報を取得する（ステップＳ１５）。ここで、制御部９は、後述するように、遺失指数を算出する工程（ステップＳ１２）で位置情報及び場所情報を取得しており、その情報を保持することができれば、ステップＳ１４及びステップＳ１５は省略してもよい。
【００５０】
制御部９は、遺失指数とその遺失指数に対応した位置情報及び場所情報を遺失場所順位決定部８に送る。遺失場所順位決定部８は、遺失指数に基づいて、遺失指数が算出された場所の遺失物が発生しやすい場所の順位を決定する(ステップＳ１６)。記憶部５には、遺失物が発見されやすい場所情報、位置情報及びその順位を含むレコードが格納された遺失物検索データベース５４が備えられており、遺失場所順位決定部８は新たなレコードを遺失物検索データベース５４に登録する（ステップＳ１７）。その後、制御部９は遺失物検索システムを終了するかどうかの入力があったかどうか確認する（ステップＳ１７）。終了の入力がなければ（ステップＳ１８でＮｏならば）ステップＳ１１に戻り、終了の入力があれば（ステップＳ１８でＹｅｓならば）遺失物検索システムを終了する。
【００５１】
携帯電話機Ｈｐでは、遺失物部検索システムが駆動されている間中、遺失物場所情報、位置情報及び順位を生成し、遺失物検索データベース５４を更新し続ける。
【００５２】
次に、遺失指数の算出を行う工程について、図面を参照して説明する。図７は遺失指数を算出する手順の一例を示すフローチャートである。図７に示す遺失指数算出の手順は、図６の遺失物検索システムの動作におけるステップＳ１２に相当する部分である。すなわち、遺失指数の算出は、制御部９が携帯電話機Ｈｐで予め決められた機能（図２参照）が起動されたときにスタートする。以下の説明において、機能別遺失指数をＦ１、時間別遺失指数をＴ１、遺失物発見回数をＬ１としている。なお、以下の説明では、Ｃ公園でカメラ機能を２０分間起動していた時を例に説明する。
【００５３】
制御部９は予め決められた機能が起動されたことを認識すると、制御部９は起動された機能を判別する（ステップＳ２１）。そして、計時部６を駆動しタイマーをスタートさせる（ステップＳ２２）。ここでは、制御部９はカメラ機能を検出している。そして、制御部９は記憶部５の機能別遺失指数データベース５１にアクセスし、起動されている機能に関連付けられた機能別遺失指数Ｆ１を取得する（ステップＳ２３）。本実施形態では、カメラ機能が起動されているので、図２の機能別遺失指数データベース５１より、機能別遺失指数Ｆ１は「９」である。
【００５４】
制御部９は、タイマースタートと同時或いは略同時に位置情報検出部４を駆動し、現在の位置情報を取得する（ステップＳ２４）。なお、位置情報として、ＧＰＳ信号を受信できる場合、緯度及び経度の情報を取得し、受信できない場合、携帯電話機Ｈｐの通信電波に基づいた情報を取得する。さらに、どちらも取得できない場合、最後に取得した情報を位置情報として取得する。制御部９は、位置情報に基づいて、その位置情報が含まれる或いは近接した場所（施設）を検索し、その場所における遺失物の発見回数Ｌ１を取得する（ステップＳ２５）。場所の情報（名前）は、記憶部５に含まれていてもよく、携帯電話機Ｈｐの通信機能を利用し、インターネットサーバ等から取得するものであってもよい。ここでは、場所がＣ公園であり、制御部９は、図４の遺失物発見場所データベース５３より、遺失物発見回数Ｌ１は「２」である。
【００５５】
制御部９は、起動されている機能（ここでは、カメラ機能）が終了したかどうか確認する（ステップＳ２６）。起動されている機能が終了しない場合（ステップＳ２６でＮｏの場合）、終了するまで機能の終了の確認を続ける（ステップＳ２６に戻る）。起動されている機能が終了した場合（ステップＳ２６でＹｅｓの場合）、制御部９は計時部６のタイマーを停止し、カメラ機能が起動していた間の時間を取得する（ステップＳ２７）。本実施形態では、カメラ機能が起動していた時間は２０分である。
【００５６】
制御部９は記憶部５の時間別遺失指数データベース５２にアクセスし、起動していた間の時間に対応する時間別遺失指数Ｔ１を取得する（ステップＳ２８）。なお、本実施形態では２０分間起動していたので、時間別遺失指数Ｔ１は「２」である。
【００５７】
制御部９は、機能別遺失指数Ｆ１、遺失物発見回数Ｌ１、時間別遺失指数Ｔ１を遺失指数算出部７に送り、遺失指数Ｎ１を算出する（ステップＳ２９）。本実施形態の遺失物検索システムにおいて、遺失指数Ｎ１は、Ｎ１＝Ｆ１＋Ｔ１＋Ｌ１×α（αは予め決められた数字、本実施形態では５としている）で算出される。本実施形態の各値を上述の式に適応すると、遺失指数Ｎ１は９＋２＋２×５で２１となる。本実施形態の遺失物検索システムでは、以上のようにして、遺失指数Ｎ１を算出している。
【００５８】
次に、本発明にかかる遺失物検索システムで遺失物を検索する手順について説明する。一般的に、遺失物の所有者は、遺失物が発生し、一定の時間経過した後に、遺失物が発生したことに気付くことが多い。そのため、携帯電話機Ｈｐでは、使用者（遺失物の所有者）から遺失物を検索する指示があってから、遺失物検索を開始する。
【００５９】
図８は本発明にかかる遺失物検索システムの遺失物検索機能の動作を示すフローチャートである。携帯電話機Ｈｐにおいて、制御部９が、遺失物の検索の要求を検出すると、遺失物検索機能の動作がスタートする。制御部９は、記憶部５の遺失物検索データベース５４にアクセスし、遺失物検索システムが動作していた間の遺失物が発生しやすい場所の順位、場所名、位置情報、使用（起動）した機能、使用時間（起動していた間の時間）及び日時を取得する（ステップＳ３１）。なお、遺失物が発見される可能性がある場所とは、使用者が携帯電話機Ｈｐに含まれる機能のうち、予め決められている機能を起動させた場所となる。
【００６０】
制御部９は、遺失物が発見される可能性が高い場所の情報を取得すると、その遺失物の場所の情報を表示部１に一覧表示する（ステップＳ３２）。使用者は表示部１に表示された情報に基づいて、遺失物が発生した可能性の高い場所を特定することができる。
【００６１】
その後、制御部９は表示部１を駆動し、遺失物が発見されたか否かの確認を行うための表示を行う（ステップＳ３３）。表示部１では、遺失物の発見報告、遺失物の検索終了の選択が可能な表示を行っており、制御部９は、いずれかの入力を待つ（ステップＳ３４）。遺失物の発見報告があった場合、制御部９は表示部１の表示を発見場所を入力するための画像に切り替える（ステップＳ３５）。遺失物の発見場所の入力があると、制御部９は遺失物発見場所データベース５３に発見場所の情報を追加する（ステップＳ３６）。なお、遺失物発見場所データベース５３に発見場所の情報を追加する場合、発見場所の情報がすでに登録されている場合、発見回数を増やし、発見場所の情報がない場合、発見場所を追加する。
【００６２】
また、遺失物が表示された場所以外の場所から発見された場合や遺失物の発見を中止或いは中断する場合、遺失物検索終了が選択される（ステップＳ３４）。遺失物検索終了が選択される又は遺失物発見場所データベース５３に発見場所の情報を追加したのち、制御部９は、遺失物検索データベース５４内のデータを削除するかどうかを使用者に確認する表示を行う（ステップＳ３７）。消去の指示が入力されると（ステップＳ３７でＹｅｓのとき）、制御部９は遺失物検索データベース５４のデータを消去し（ステップＳ３８）、遺失物の検索を終了する。消去しない指示が入力されると（ステップＳ３７でＮｏのとき）、制御部９は遺失物検索データベース５４を残したまま、遺失物の検索を終了する。
【００６３】
また、ステップＳ３４で遺失物の発見報告、遺失物の検索終了の入力がない場合、ステップＳ３３に戻る。
【００６４】
以上のように、本発明にかかる遺失物検索システムを利用することで、使用者は遺失物が発生した場所の候補を絞りやすく、遺失物の発見に要する時間及び手間を削減することが可能である。
【００６５】
なお、ステップＳ３２で遺失物が発生した可能性のある場所の一覧表示を行っているとき、その場所を選択することで、地図を表示するとともに、遺失物が発生した可能性のある場所を地図上に表示するようにしてもよい。また、このとき、遺失物が発生した可能性のある場所の連絡先、その場所の近傍にある交番、警察署等、遺失物が届けられる可能性のある場所の連絡先を表示するようにしてもよい。
【００６６】
また、本実施形態では、以前に発生した遺失物の場所及びその回数のデータベース（遺失物発見場所データベース：図４）が備えられており、その回数に応じて遺失指数を増やしているが、従来の遺失物の発生を考慮せず、予め決められた機能の起動及びその機能を起動していた間の時間だけで、遺失指数を算出するようにしてもよい。
【００６７】
図２に示す機能別遺失指数データベース５１は、一般的な統計結果や、各機能を利用するときの煩雑さ、機能に対する注意力の集中しやすさ等を総合的に勘案して、決定されており、ある程度の精度で機能別遺失指数を決定することができる。一方で、使用者によって、遺失物が発生しやすい機能と発生しにくい機能とがばらつく場合もある。
【００６８】
例えば、使用者αではゲームを起動している場合に遺失物の発生する頻度が高く、使用者βでは電卓を起動している場合に遺失物の発生する頻度が高くなるとする。図２に示すような、機能別遺失指数データベース５１では、ゲームの機能別遺失指数が最大となっているので、ゲーム起動時に遺失物の頻度が高い使用者αが利用した場合、遺失物の発見の精度が高くなると考えられるが、電卓起動時に遺失物頻度が高い使用者βでは、遺失物の発見の精度が、遺失物検索システムを使用者αが使用した場合に比べて高くなりにくい。また、総合的に判断して、遺失物が発生しやすい機能の優劣がつけにくい場合もあり、その場合の機能別遺失指数の決定が困難である。
【００６９】
そこで、機能別遺失指数データベース５１が各機能に対する機能別遺失指数を変更できるようになっていてもよい。この機能別遺失指数の変更は、使用者によって任意に変更可能であってもよい。また、遺失物検索システムが自動的に、遺失物の発生時における起動されていた機能の回数に基づいて、各機能に対応する機能別遺失指数を変更するように機能別遺失指数データベースを更新してもよい。このように機能別遺失指数データベースが使用者に合わせて更新されることで、遺失物検索システムは、使用期間が長くなるほど、使用者に最適化される。これにより、遺失物検索システムの検索能力（精度）が高くなり、短時間で遺失物を発見できるとともに遺失物の発見の確率が高くなる。
【００７０】
また、携帯電話機Ｈｐに新たな機能（例えば、インターネット閲覧機能）を後から追加する場合もある。その場合、新たな機能に対し、使用者が任意に機能別遺失指数を決定し、追加した機能及びその機能別遺失指数を機能別遺失指数データベースに追加する更新を行ってもよい。
【００７１】
（第２実施形態）
本発明にかかる遺失物検索システムの他の例について図面を参照して説明する。図９は遺失物検索システムの他の例に備えられている時間別遺失指数データベースの一例を示す図である。なお、時間別遺失指数データベース以外は携帯電話機Ｈｐに含まれる遺失物検索システムと同じであり図示及び詳細な説明は省略する。
【００７２】
携帯電話機Ｈｐの各機能を利用する場合、集中力の差があり、（本実施例では存在しないが）例えば、機能別遺失指数が同じであっても、短時間の起動で遺失物が発生しやすい機能もあれば、長時間の起動でも遺失物が発生しにくい機能もある。そこで、本実施形態の遺失物検索システムでは、時間別遺失指数データベース５５として、機能別に時間と時間別遺失指数とが設定された時間別遺失指数テーブルを備える構成としている。なお、図９では、機能としてゲームが起動されているときの時間別遺失指数テーブルを示している。
【００７３】
例えば、機能がゲームの場合、制御部９は時間別遺失指数データベース５５より、ゲームのタグ５５１がついたテーブルにアクセスする。このように、機能ごとに時間別遺失指数データベース５５を利用することで、遺失物検索データベース５４において、時間が短くても遺失物が発生しやすい機能を起動している場所の順位を上にあげることが可能となる。なお、図９に示す時間別遺失指数テーブル５５では、タグ５５１として、ゲーム、カメラ撮影、通話、電卓の４つのタグが示されている。電卓タグの横に配置された三角形の表示を操作する（例えば、クリックする）ことで、残りのタグが表示される。
【００７４】
上述の各実施形態では、遺失指数の算出方法として機能別遺失指数と時間別遺失指数とを加算しているが、時間別遺失指数を重みとして、機能別遺失指数Ｆ１と時間別遺失指数Ｔ１と遺失回数Ｌ１による遺失指数の総和としているが、これに限定されるものではなく、例えば、遺失回数Ｌ１に基づく指数及び時間別遺失指数Ｔ１を所定の重みを有する係数とし、機能別遺失指数Ｆ１に乗算する構成としてもよい。
【００７５】
以上示したように、遺失物検索システムを利用することで、使用者の行動範囲において、遺失物が発生しやすい場所を限定し、さらに、その場所の順位をつけるので、使用者によって遺失物が発生しやすい場所の見当をつけるので、遺失物の検索に要する時間及び手間を減らすことができる。また、サーバや無線タグ等を必要としないので、構成自体も簡略である。さらに、電波が通じない場所であっても、遺失物の検索を行うことが可能であり、使用者は、遺失物に気付いたときにすぐに、遺失物が発生した可能性が高い場所を検索することができ、このことから、遺失物の発見に要する時間を減らすことができ、遺失物の発見の確率を高めることが可能である。
【００７６】
上述の各実施形態において、本発明の遺失物検索システムを備えた電子機器として、携帯電話機を挙げているが、これに限定されるものではない。例えば、デジタルカメラ、タブレットＰＣ、ゲーム機等にも搭載することが可能である。この場合、上述した各データベースはそれぞれの電子機器の動作、機能に最適化されているものが用いられる。
【００７７】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００７８】
本発明にかかる遺失物検索システムは、携帯電話機、携帯情報端末、タブレットＰＣ、ナビゲーション装置、ゲーム機に搭載することが可能である。
【符号の説明】
【００７９】
１  表示部
２  入力部
３  電波送受信部
４  位置情報検出部
４１  ＧＰＳ受信部
４２  位置情報取得部
５  記憶部
５１  機能別遺失指数データベース
５２  時間別遺失指数データベース
５３  遺失物発見場所データベース
５４  遺失物検索データベース
６  計時部
７  遺失指数算出部
８  遺失場所順位決定部
９  制御部
【図１】
2013201471.tif 000003
【図２】
2013201471.tif 000004
【図３】
2013201471.tif 000005
【図４】
2013201471.tif 000006
【図５】
2013201471.tif 000007
【図６】
2013201471.tif 000008
【図７】
2013201471.tif 000009
【図８】
2013201471.tif 000010
【図９】
2013201471.tif 000011